(57)【要約】【課題】船舶の展望浴室において、浴室や浴室に付随する設備を効率良く配置することで限られたスペースの有効利用を可能とする。【解決手段】上層の第７甲板２７上に浴槽６１，６２を有する浴室４２，４３を設け、浴室６１，６２の第７甲板２７より下層の第６甲板２６上に浴槽水を循環して洗浄する洗浄装置１０１を設け、最下層の第１甲板上２１に清水を湯水として浴槽６１，６２に供給する給水装置１０２を設けている。【選択図】図６
2015054549.tif 000002
【特許請求の範囲】
【請求項１】
船舶の上部構造の舷側に浴室が設けられ、
前記曝露甲板より下層の甲板上に清水を湯水として前記浴室に供給する給水装置が設けられ、
前記給水装置は、加圧水を貯留する加圧タンクと、前記加圧タンクに加圧水を供給する加圧水供給ラインと、前記加圧タンクに加圧空気を供給する加圧空気供給ラインと、前記加圧タンクの加圧水を前記浴室に供給可能な給水ラインと、前記加圧タンクにおける加圧水の水位と圧力の少なくともいずれか一方を検出する検出器と、前記検出器の検出値が予め設定された所定値よりも低下したときに加圧水または加圧空気の供給を開始する制御部とを有する、
ことを特徴とする船舶の展望浴室。
【請求項２】
前記浴室に浴槽が設けられ、前記浴室の甲板より下層の甲板上に浴槽水を循環して洗浄する洗浄装置が設けられることを特徴とする請求項１に記載の船舶の展望浴室。
【請求項３】
前記洗浄装置は、前記浴槽から浴槽水を吸込管により吸込んで洗浄し、洗浄済の浴槽水を吐出管により前記浴槽に吐出するものであり、前記給水管は、前記吐出管に接続されることを特徴とする請求項２に記載の船舶の展望浴室。
【請求項４】
前記給水管は、第１開閉弁を有する第１給水管と、第２開閉弁を有する第２給水管とを有し、前記第２給水管に清水を加熱して温水とする加熱タンクが設けられ、前記加熱タンクは、前記浴室の甲板上に設けられることを特徴とする請求項３に記載の船舶の展望浴室。
【請求項５】
前記浴室及び前記洗浄装置は、船体の幅方向における一方側に配置され、幅方向にずれて配置されることを特徴とする請求項１から請求項４のいずれか一つに記載の船舶の展望浴室。
【請求項６】
前記洗浄装置は、浴槽水に薬液を添加して殺菌する薬液添加装置と、浴槽水をろ過するろ過装置と、浴槽水を加熱する加熱装置と、前記ろ過装置のフィルタを逆洗する逆洗装置とを有することを特徴とする請求項５に記載の船舶の展望浴室。
【請求項７】
前記浴槽は、前記船体の前後方向に沿って複数設けられ、連通管により連通されることを特徴とする請求項２から請求項６のいずれか一つに記載の船舶の展望浴室。
【請求項８】
前記浴槽における浴槽水の水位を計測する水位計と、浴槽水の水位が予め設定された下限水位に達すると前記給水装置を作動する制御部とが設けられることを特徴とする請求項２から請求項７のいずれか一つに記載の船舶の展望浴室。
【請求項９】
前記浴室にシャワー室が設けられ、前記給水管がシャワー配管に接続されることを特徴とする請求項１から請求項８のいずれか一つに記載の船舶の展望浴室。
【請求項１０】
前記船体の幅方向に沿う第１梁部材が前記船体の前後方向に所定間隔で複数配設され、前記複数の第１梁部材を連結するように前記船体の前後方向に沿う第２梁部材が前記船体の幅方向に所定間隔で複数配設され、前記第１梁部材と前記第２梁部材により甲板が構成され、前記甲板における前記船体の幅方向の一端部に外方へ突出するように張り出して前記浴室が形成されることを特徴とする請求項１から請求項９のいずれか一つに記載の船舶の展望浴室。
【請求項１１】
前記浴室が設けられる甲板の下側の甲板上に舷側に沿う通路が設けられ、前記通路に上下の甲板を連結する複数の支柱からなる手摺が設けられることを特徴とする請求項１０に記載の船舶の展望浴室。
【発明の詳細な説明】
【技術分野】
【０００１】
本発明は、旅客船、フェリー、ＲＯ−ＲＯ船（Roll-on/Roll-off Ship）、自動車専用船としてのＰＣＣ（Pure Car Carrier）、ＰＣＴＣ（Pure Car / Truck Carrier）などの船舶の展望浴室に関するものである。
【背景技術】
【０００２】
フェリーなどの船舶は、内部に各種の客室だけでなく、エントランス、ラウンジ、ホール、レストラン、バー、浴室などがあり、乗客が楽しめる設備が設けられている。これらの設備のうち、浴室は、景観の良い舷側に設けることが多い。
【０００３】
船舶の浴室としては、例えば、下記特許文献に記載されたものがある。
【先行技術文献】
【特許文献】
【０００４】
【特許文献１】特開昭６２−２４２０６３号公報
【発明の概要】
【発明が解決しようとする課題】
【０００５】
船舶浴室は、景観の良い舷側に設けることが多いが、居住区画に配置することで他の客室を配置するスペースに制約がかかる。即ち、舷側に浴室を設ける場合、その浴室に付随する給水装置などの設備も浴室の近傍に設けなければならず、客室数を必要以上に減少させてしまうおそれがある。
【０００６】
本発明は、上述した課題を解決するものであり、浴室や浴室に付随する設備を効率良く配置することで限られたスペースの有効利用を可能とする船舶の展望浴室を提供することを目的とする。
【課題を解決するための手段】
【０００７】
上記の目的を達成するための本発明の船舶の展望浴室は、船舶の上部構造の舷側に浴室が設けられ、前記曝露甲板より下層の甲板上に清水を湯水として前記浴室に供給する給水装置が設けられ、前記給水装置は、加圧水を貯留する加圧タンクと、前記加圧タンクに加圧水を供給する加圧水供給ラインと、前記加圧タンクに加圧空気を供給する加圧空気供給ラインと、前記加圧タンクの加圧水を前記浴室に供給可能な給水ラインと、前記加圧タンクにおける加圧水の水位と圧力の少なくともいずれか一方を検出する検出器と、前記検出器の検出値が予め設定された所定値よりも低下したときに加圧水または加圧空気の供給を開始する制御部とを有する、ことを特徴とするものである。
【０００８】
従って、浴室の下層に給水装置を設けており、浴室に対して給水装置を別の階層に設けることで、客室数の減少を抑制しながら、浴室や浴室に付随する設備を効率良く配置することができ、限られた船内スペースの有効利用を可能とすることができる。また、加圧タンクの加圧水を給水ラインにより浴槽に供給することとなり、下層にある加圧水を上層の浴室に適正に供給することができる。このとき、加圧タンクを設けることで、加圧ポンプなどを常時駆動する必要がなく、運転コストを低減することができる。また、制御部は、加圧タンクにおける加圧水の水位や圧力が所定値よりも低下したときに加圧水または加圧空気を供給するため、常時、加圧タンクに所定量及び所定圧以上の加圧水を貯留することができる。なお、この所定値とは、浴室で使用する湯水の吐出圧が適正圧となる加圧タンクの水位及び水頭圧である。
【０００９】
本発明の船舶の展望浴室では、前記浴室に浴槽が設けられ、前記浴室の甲板より下層の甲板上に浴槽水を循環して洗浄する洗浄装置が設けられることを特徴としている。
【００１０】
従って、浴室に浴槽を設け、浴室の甲板より下層の甲板上に浴槽水を循環して洗浄する洗浄装置を設けており、浴室に対して洗浄装置を別の階層に設けることで、客室数の減少を抑制しながら、浴室や浴室に付随する設備を効率良く配置することができる。
【００１１】
本発明の船舶の展望浴室では、前記洗浄装置は、前記浴槽から浴槽水を吸込管により吸込んで洗浄し、洗浄済の浴槽水を吐出管により前記浴槽に吐出するものであり、前記給水管は、前記吐出管に接続されることを特徴としている。
【００１２】
従って、給水管を洗浄済の浴槽水を浴槽に吐出する吐出管に接続することで、浴槽への湯水供給系が１系統となり、配管系の簡素化を可能とすることができる。
【００１３】
本発明の船舶の展望浴室では、前記給水管は、第１開閉弁を有する第１給水管と、第２開閉弁を有する第２給水管とを有し、前記第２給水管に清水を加熱して温水とする加熱タンクが設けられ、前記加熱タンクは、前記浴室の甲板上に設けられることを特徴としている。
【００１４】
従って、水と湯の２系統の給水管を設けることで、浴槽に供給する湯水の温度管理を適正に行うことができ、また、第２給水管の加熱タンクを浴室の甲板上に設けることで、加熱タンクから洗浄装置への湯水の供給を自由落下により行うことが可能となり、浴槽に対して湯水を適正に供給することができる。
【００１５】
本発明の船舶の展望浴室では、前記浴室及び前記洗浄装置は、船体の幅方向における一方側に配置され、幅方向にずれて配置されることを特徴としている。
【００１６】
従って、船体の幅方向の一方側に浴室と洗浄装置を配置し、且つ、幅方向にずらすことで、浴槽水を循環する配管を短縮することができると共に、配管の配索を容易に行うことができる。
【００１７】
本発明の船舶の展望浴室では、前記洗浄装置は、浴槽水に薬液を添加して殺菌する薬液添加装置と、浴槽水をろ過するろ過装置と、浴槽水を加熱する加熱装置と、前記ろ過装置のフィルタを逆洗する逆洗装置とを有することを特徴としている。
【００１８】
従って、浴槽水は、薬液を添加して殺菌され、ろ過され、加熱されてから浴槽に戻されることとなり、浴槽水の適正な洗浄を可能とすることができる。また、逆洗装置によりろ過装置のフィルタを定期的に、または必要時に逆洗することで、ろ過装置のろ過能力を常時高性能に維持することができる。
【００１９】
本発明の船舶の展望浴室では、前記浴槽は、前記船体の前後方向に沿って複数設けられ、連通管により連通されることを特徴としている。
【００２０】
従って、複数の浴槽が連通管により連通されることで、全ての浴槽における浴槽水の水位が同等となり、各浴槽に貯留される浴槽水の水量管理を容易に行うことができる。
【００２１】
本発明の船舶の展望浴室では、前記浴槽における浴槽水の水位を計測する水位計と、浴槽水の水位が予め設定された下限水位に達すると前記給水装置を作動する制御部とが設けられることを特徴としている。
【００２２】
従って、水位計が計測した浴槽水の水位が下限水位に達すると、制御部は、給水装置を作動して湯水を浴槽へ供給し、浴槽水の水位を適正水位に維持することとなり、浴槽に貯留される浴槽水の水量管理を容易に行うことができる。
【００２３】
本発明の船舶の展望浴室では、前記浴室にシャワー室が設けられ、前記給水管がシャワー配管に接続されることを特徴としている。
【００２４】
従って、浴室にシャワー室を設け、給水管をシャワー配管に接続することで、湯水を適正にシャワー室に供給することができる。
【００２５】
本発明の船舶の展望浴室では、前記船体の幅方向に沿う第１梁部材が前記船体の前後方向に所定間隔で複数配設され、前記複数の第１梁部材を連結するように前記船体の前後方向に沿う第２梁部材が前記船体の幅方向に所定間隔で複数配設され、前記第１梁部材と前記第２梁部材により甲板が構成され、前記甲板における前記船体の幅方向の一端部に外方へ突出するように張り出して前記浴室が形成されることを特徴としている。
【００２６】
従って、船体の幅方向に沿う複数の第１梁部材と、各第１梁部材を連結するように船体の前後方向に沿う複数の第２梁部材により構成された甲板上に外方に突出する浴室が形成されることで、浴室の支持強度を十分に確保することができると共に、浴室からの十分な眺望を確保することができる。
【００２７】
本発明の船舶の展望浴室では、前記浴室が設けられる甲板の下側の甲板上に舷側に沿う通路が設けられ、前記通路に上下の甲板を連結する複数の支柱からなる手摺が設けられることを特徴としている。
【００２８】
従って、複数の支柱により上下の甲板を連結することで、安全性の高い浴室及び通路を確保することができ、また、この複数の支柱を通路の手摺として兼用することで、構成の簡素化及び低コスト化を可能とすることができる。
【発明の効果】
【００２９】
本発明の船舶の展望浴室によれば、曝露甲板より上層の甲板上に浴室を設け、下層の甲板上に清水タンクと加圧ポンプと加圧タンクと給水管を有する給水装置を設けるので、浴室や浴室に付随する設備を効率良く配置することができ、限られた船内スペースの有効利用を可能とすることができる。
【図面の簡単な説明】
【００３０】
【図１】図１は、本実施例の展望浴室を有する船舶を表す概略側面図である。
【図２】図２は、本実施例の船舶を表す概略正面図である。
【図３】図３は、本実施例の船舶を表す概略平面図である。
【図４】図４は、展望浴室が配置された階層を表す概略平面図である。
【図５】図５は、浴槽水の循環ユニットが配置された階層を表す概略平面図である。
【図６】図６は、湯水の供給ユニット及び浴槽水の循環ユニットを表す概略系統図である。
【図７】図７は、浴槽水の循環ユニットを表す系統図である。
【図８】図８は、展望浴室の構成を表す概略平面図である。
【発明を実施するための形態】
【００３１】
以下に添付図面を参照して、本発明に係る船舶の展望浴室の好適な実施例を詳細に説明する。なお、この実施例により本発明が限定されるものではなく、また、実施例が複数ある場合には、各実施例を組み合わせて構成するものも含むものである。
【実施例】
【００３２】
図１は、本実施例の展望浴室を有する船舶を表す概略側面図、図２は、本実施例の船舶を表す概略正面図、図３は、本実施例の船舶を表す概略平面図である。
【００３３】
本実施例の船舶としての旅客船（カーフェリー）において、図１及び図２に示すように、船体１０は、船首１１と、船尾１２と、船底１３と、左舷１４と、右舷１５を有している。本実施例では、船体１０の船長方向（前後方向）をＸ方向、船幅方向（幅方向）をＹ方向にして表している。そして、ＣＬは、船体１０のセンターラインを表し、ＷＬは、船体１０の満載喫水線を表している。
【００３４】
船体１０は、船底１３の上方に第１甲板（船底甲板）２１、第２甲板２２、第３甲板２３（乾舷甲板）、第４甲板２４、第５甲板２５、第６甲板（曝露甲板）２６、第７甲板（航海船橋甲板）２７、第８甲板２８が設けられ、左舷１４の外板と右舷１５の外板により支持されている。そして、第１甲板２１における船尾１２側に船尾隔壁３１と機関室隔壁３２により機関室３３が区画され、この機関室３３に主機関（例えば、ディーゼルエンジン）３４が配置されている。この主機関３４は、推進力を伝達するプロペラ３５が駆動連結されている。また、船尾１２に船体１０の方向を制御する舵３６が設けられている。
【００３５】
そして、第１甲板２１及び第２甲板２２上が乗用車スペースであり、第３甲板２３及び第４甲板２４上がトラックスペースであり、第５甲板２５及び第６甲板２６及び第７甲板２７上が客室スペースとなっている。
【００３６】
本実施例の船体１０は、上部構造の舷側に展望浴室４１が設けられている。この上部構造とは、第６甲板（曝露甲板）２６より上方の甲板であり、本実施例では、第７甲板２７上に展望浴室４１よりが設けられている。この展望浴室４１は、第７甲板２７上の左舷１４側に配置され、第６甲板２６の客室から船幅方向（Ｙ方向）における左舷１４側に外方へ突出するように配置されている。この場合、第６甲板２６は、客室から船幅方向（Ｙ方向）における左舷１４側に船長方向（Ｘ方向）に沿って通路３６が確保されている。そして、展望浴室４１が配置された第７甲板２７は、船幅方向の端部が複数の支柱３７により第６甲板２６における船幅方向の端部、つまり、通路３６に支持されている。
【００３７】
即ち、図３に示すように、展望浴室４１は、第７甲板２７上の左舷１４側で、且つ、船尾１２側に配置されている。この展望浴室４１は、船首１１側に位置する紳士用浴室４２と、船尾１２側に位置する婦人用浴室４３とから構成されており、船長方向（Ｘ方向）に並んで配置されている。通路３６は、第６甲板２６上に左舷１４側に沿って設けられ、展望浴室４１（第７甲板２７）の下方を通過している。
【００３８】
図４は、展望浴室が配置された階層を表す概略平面図、図５は、浴槽水の循環ユニットが配置された階層を表す概略平面図である。
【００３９】
展望浴室４１は、図４に示すように、第７甲板２７上に設けられ、紳士用浴室４２と婦人用浴室４３とが左舷１４に沿って配置されている。この紳士用浴室４２及び婦人用浴室４３は、浴槽スペース４４，４５、シャワースペース（シャワー室）４６，４７、脱衣スペース４８，４９から構成されており、各脱衣スペース４８，４９に通路５０に対して開閉扉５１，５２が設けられている。また、左舷１４側には、階段５３や吹抜け５４が設けられている。一方、右舷１５側には、空調機室５５、エレベータ５６、エレベータモータ室５７、調理室５８、食堂５９などが設けられている。
【００４０】
また、展望浴室４１にて、各浴槽スペース４４，４５には、それぞれ２つの浴槽６１，６２が設けられている。この４つの浴槽６１，６２は、左舷１４に沿って直列に並んで配置されている。また、シャワースペース４６，４７は、複数のシャワー（図示略）が配置されている。
【００４１】
図５に示すように、第６甲板２６には、左舷１４側に複数の客室６３、ろ過機室６４、空調機械室６５、階段５３、吹抜け５４が設けられている。そして、複数の客室６３の外側に通路３６が設けられ、この通路３６に沿って複数の支柱３７が並んである。一方、右舷１５側には、乗務員室６６、電気機械室６７、遊戯室６８、客室６９、エレベータ５６、吹抜け７０などが設けられている。
【００４２】
図６は、湯水の供給ユニット及び浴槽水の循環ユニットを表す概略系統図、図７は、浴槽水の循環ユニットを表す系統図である。
【００４３】
そして、本実施例の展望浴室４１では、図６に示すように、上層の第７甲板２７上に浴槽６１，６２を有する浴室４２，４３やシャワーを有するシャワースペース４６，４７が設けられ、この第７甲板２７より下層の第６甲板２６上に浴槽水を循環して洗浄する洗浄装置１０１が設けられ、最下層の第１甲板２１上に清水を湯水として浴槽６１，６２やシャワースペース４６，４７に供給する給水装置１０２が設けられている。
【００４４】
この場合、浴室４２，４３は、船体１０の船幅方向における一方（左舷１４）側に配置され、洗浄装置１０１は、船体１０の船幅方向における他方（右舷１５）側に配置されている。
【００４５】
給水装置１０２は、清水タンク１１２と、加圧ポンプ１１３と、加圧タンク１１４と、給水管（給水ライン）１１５とを有している。清水タンク１１２は、第１甲板２１上における補機室１１１の外部に配置され、清水タンク１１２と加圧ポンプ１１３と加圧タンク１１４は、第１甲板２１上における補機室１１１の内部に配置されている。清水タンク１１２は、内部に清水を貯留することができ、配管１１６により加圧ポンプ１１３に連結されている。加圧ポンプ１１３は、清水タンク１１２の清水を加圧することができる。加圧タンク１１４は、加圧ポンプ１１３により加圧された加圧水を貯留することができ、給水管１１５が連結されている。この給水管１１５は、加圧タンク１１４の加圧水を洗浄装置１０１を介して浴槽６１，６２に供給することができる。この場合、清水タンク１１２と加圧ポンプ１１３と配管１１６などか加圧水供給ラインとして機能する。
【００４６】
また、給水装置１０２は、加圧タンク１１４に加圧空気を供給する加圧空気供給ライン３０１と、開閉弁３０２を有している。この加圧空気供給ライン３０１は、船内に設けられる圧縮空気供給ライン（図示略）から分岐したものであり、開閉弁３０２により開閉可能となっている。
【００４７】
更に、給水装置１０２は、加圧タンク１１４における加圧水の水位を検出する水位検出器３０３と、加圧タンク１１４における加圧水の圧力を検出する圧力検出器３０４とを有している。そして、制御部１６２は、各検出器３０３，３０４の検出結果が入力され、加圧タンク１１４における加圧水の水位が予め設定された所定値よりも低下したときに、加圧ポンプ１１３を駆動して加圧水の供給を開始する。また、制御部１６２は、加圧タンク１１４における加圧水の圧力が予め設定された所定値よりも低下したときに、開閉弁３０２を開放して加圧空気（圧縮空気）の供給を開始する。このようにして加圧タンク１１４における加圧水の水量と圧力を適正値以上となるように管理している。
【００４８】
この給水管１１５は、第１甲板２１から第７甲板２７まで延出され、基端部が加圧タンク１１４に連結され、先端部側が第７甲板２７に沿って配索され、第１給水管１１７と第２給水管１１８に分岐している。そして、第１給水管１１７は、先端部が第６甲板２６のろ過機室６４に配置された洗浄装置１０１に連結されている。一方、第２給水管１１８は、先端部が第７甲板２７に沿って配索され、第６甲板２６のろ過機室６４に配置された洗浄装置１０１に連結されている。また、第７甲板２７上の空調機室５５には、加熱タンク１１９が設置されており、第２給水管１１８が連通している。そのため、第１給水管１１７は、清水（加圧水）をそのまま直接洗浄装置１０１に供給し、第２給水管１１８は、清水（加圧水）を加熱タンク１１９により加熱して温水し、この加熱タンク１１９に貯留しながら洗浄装置１０１に供給する。なお、給水管１１５と第１給水管１１７と第２給水管１１８の分岐部には、流量調整弁１１５ａ、逆止弁１１７ａ，１１８ａが設けられている。
【００４９】
なお、最下層の第１甲板２１上に給水装置１０２を設けたが、この位置に限定されるものではない。例えば、清水タンク１１２は、第３甲板２３（乾舷甲板）下の隔壁にて区画割された船体付タンクとしており、船舶として成り立つ区画割を行った後、どのタンクを清水タンク、もしくは、バラストタンクとするかをタンク容量の確保及び船舶の姿勢制御が支障なく行えるように決定する。なお、一般的に、左右分割するのであれば左右舷対象に設置し、分割しないのであれば船体中心に設置する。
【００５０】
洗浄装置１０１は、図７に示すように、浴槽６１，６２から浴槽水を吸込管１２１により吸込んで洗浄し、洗浄済の浴槽水を吐出管１２２により浴槽６１，６２に吐出するものであり、給水管１１５（第１給水管１１７、第２給水管１１８）は、この吐出管１２２に接続されている。
【００５１】
浴槽６１，６２は、船体１０の前後方向に沿って複数設けられ、連通管１２３により連通されている。また、浴槽６１は、連結管１２４により浴槽６１における浴槽水の水位を計測する水位計１２５が連結されている。
【００５２】
洗浄装置１０１は、薬液添加装置１２６と、ろ過装置１２７と、加熱装置１２８とを有している。薬液添加装置１２６は、浴槽水に薬液を添加して殺菌するものである。ろ過装置１２７は、ろ過フィルタ１２７ａを有し、浴槽水をろ過して異物を除去するものである。加熱装置１２８は、浴槽水を加熱して温度を上昇させるものである。また、洗浄装置１０１は、ろ過装置１２７のろ過フィルタ１２７ａを逆洗して捕集した異物を廃棄するポンプ１２９ａを有する逆洗装置１２９が設けられている。
【００５３】
浴槽６１は、底部と側部に吸込口１３１，１３２が形成され、各吸込口１３１，１３２に吸込ライン１３３，１３４が連結され、各吸込ライン１３３，１３４に開閉弁１３５，１３６が設けられて集合している。一方、浴槽６２も同様に、底部と側部に吸込口１３７，１３８が形成され、各吸込口１３７，１３８に吸込ライン１３９，１４０が連結され、各吸込ライン１３９，１４０に開閉弁１４１，１４２が設けられて集合している。そして、各吸込ライン１３３，１３４が集合した集合ライン１４３と、各吸込ライン１３９，１４０が集合した集合ライン１４４は、更に集合して吸込管１２１に連結されている。なお、集合ライン１４３，１４４に開閉弁１４５，１４６が設けられている。
【００５４】
また、浴槽６１は、底部に吐出口１４７が形成され、吐出口１４７に吐出ライン１４８が連結され、吐出ライン１４８に開閉弁１４９が設けられている。一方、浴槽６２も同様に、底部に吐出口１５０が形成され、吐出口１５０に吸込ライン１５１が連結され、吐出ライン１５１に開閉弁１５２が設けられている。そして、各吐出ライン１４８，１５１が集合しして吐出管１２２に連結されている。
【００５５】
吸込管１２１は、薬液添加装置１２６に連結され、薬液添加装置１２６は、ろ過ホンプ１５３及び開閉弁１５４を有する配管１５５を介してろ過装置１２７に連結されている。このろ過装置１２７は、配管１５６を介して加熱装置１２８に連結されている。また、ろ過装置１２７は、配管１５７を介して逆洗装置１２９に連結されている。従って、各開閉弁１３５，１３６，１４１，１４２，１４５，１４６，１４９，１５１，１５４を開放した状態で、ろ過ホンプ１５３を作動すると、浴槽６１の浴槽水が吸込口１３１，１３２から吸込ライン１３３，１３４に吸い込まれて集合ライン１４３に流れ、浴槽６２の浴槽水が吸込口１３７，１３８から吸込ライン１３９，１４０に吸い込まれて集合ライン１４４に流れる。そして、浴槽水は、各集合ライン１４３，１４４から吸込管１２１を介して薬液添加装置１２６に流れる。すると、薬液添加装置１２６は、浴槽水に薬液を添加して殺菌し、ろ過装置１２７は、浴槽水をろ過して異物を除去し、加熱装置１２８は、洗浄後の浴槽水を加熱して温度を上昇させる。その後、洗浄されて加熱された浴槽水は、吐出管１２２から各吐出ライン１４８，１５１を通して浴槽６１，６２に戻される。
【００５６】
また、給水装置１０２の第１給水管１１７と第２給水管１１８は、洗浄装置１０１で集合し、集合管１５８として配管１５６に連結されている。そして、第１給水管１１７に第１開閉弁１５９が装着され、第２給水管１１８に第２開閉弁１６０が装着され、集合管１５８に開閉弁１６１が装着されている。従って、各開閉弁１５９，１６０，１６１を開放することで、清水と温水が混合した湯水が洗浄後の浴槽水に混合され、浴槽６１，６２に供給することができる。
【００５７】
洗浄装置１０１は、各開閉弁１３５，１３６，１４１，１４２，１４５，１４６，１４９，１５２，１５４，１５９，１６０，１６１の開閉制御、ろ過ポンプ１５３と逆洗装置１２９の駆動制御、加熱装置１２８の温度制御を可能な制御部１６２が設けられ、電源装置１６３が電源供給ライン１６４により接続されている。この制御部１６２は、水位計１２５の計測結果が信号ライン１６５から入力され、浴槽水６１（６２）の水位が予め設定された下限水位に達すると給水装置１０２を作動し、浴槽水６１（６２）の水位が予め設定された上限水位に達すると給水装置１０２の作動を停止する。即ち、制御部１６２は、浴槽水６１（６２）の水位が下限水位と上限水位との間に維持されるように、各開閉弁１５９，１６０，１６１を開放制御する。
【００５８】
また、浴槽６１，６２は、底部に排水口１７１，１７２が形成され、配水管１７３，１７４が連結されている。
【００５９】
図８は、展望浴室の構成を表す概略平面図である。
【００６０】
第７甲板２７にて、船体１０の船幅方向（Ｙ方向）に沿う第１梁部材（ウェブフレーム）２０１，２０２が船体１０の船長方向（Ｘ方向）に所定間隔で複数配設されている。また、複数の第１梁部材２０１，２０２を連結するように、船体１０の船長方向（Ｘ方向）に沿う第２梁部材（ロンジフレーム）２０３が船体の船幅方向（Ｙ方向）に所定間隔で複数配設されている。第７甲板２７は、この複数の第１梁部材２０１，２０２と複数の第２梁部材２０３が接合されることで構成されている。そして、第７甲板２７における船体１０の船幅方向（Ｙ方向）の一端部に外方へ突出するように展望浴室４１（浴室４２，４３）が配置されている。この場合、展望浴室４１における船長方向（Ｘ方向）の中間部に配設される３つの第１梁部材２０１は、船体１０の船幅方向（Ｙ方向）における全域にわたって配置されるが、展望浴室４１における船長方向（Ｘ方向）の前後端部に配設される２つの第１梁部材２０２は、船体１０の船幅方向（Ｙ方向）における展望浴室４１の領域にわたって配置される。但し、第１梁部材２０２は、展望浴室４１を仕切る壁部に接合されることから、併せて十分な支持剛性が確保される。
【００６１】
そして、図５に示すように、展望浴室４１が設けられる第７甲板２７に対して、第６甲板２６上に舷側に沿う通路３６が設けられ、通路３６に上下の甲板２６，２７を連結する複数の支柱３７が設けられ、この複数の支柱を水平に連結するように手摺３８が設けられている。
【００６２】
このように本実施例の船舶の展望浴室にあっては、上層の第７甲板２７上に浴槽６１，６２を有する浴室４２，４３を設け、最下層の第１甲板上２１に清水を湯水として浴室４２，４３に供給する給水装置１０２を設け、給水装置１０２として、清水を貯留する清水タンク１１２と、清水タンク１１２の清水を加圧する加圧ポンプ１１３と、加圧ポンプ１１３により加圧された加圧水を貯留する加圧タンク１１４と、加圧タンク１１４の加圧水を浴槽６１，６２に供給可能な給水管１１５とを設けている。
【００６３】
従って、浴室４２，４３の下層に給水装置１０２を設け、給水装置１０２として清水タンク１１２と加圧ポンプ１１３と加圧タンク１１４と給水管１１５を設けており、浴室４２，４３に対して給水装置１０２を別の階層に設けることで、第７甲板２７上の客室数の減少を抑制しながら、浴室４２，４３やこの浴室４２，４３に付随する設備を効率良く配置することができ、限られた船内スペースの有効利用を可能とすることができる。
【００６４】
また、清水タンク１１２の清水を加圧ポンプ１１３により加圧して加圧タンク１１４に貯留し、加圧タンク１１４の加圧水を給水管１１５により浴槽６１，６２に供給することとなり、最下層にある清水タンク１１２の清水を上層の浴槽６１，６２に適正に供給することができる。このとき、給水装置１０２として加圧タンク１１４を設けることで、加圧ポンプ１１３を常時駆動する必要がなく、運転コストを低減することができる。即ち、加圧タンク１１４を設置しないと、加圧ポンプ１１３を常時運転して給水する必要があり、運転コストが増加してしまう。また、加圧ポンプ１１３を常時運転するために、別途、加圧水の循環ラインが必要になり、設備コストが増加してしまう。一方で、加圧ポンプを必要時にのみ運転するようにすると、加圧ポンプ１１３の運転及び停止制御を高精度に行う必要があり、この点でも設備コストが増加してしまう。なお、加圧ポンプ１１３の運転及び停止制御の精度が低いと、開栓と湯水供給との間にタイムラグが生じてしまい、必要時に湯水の供給が困難となる。
【００６５】
また、給水装置１０２として、加圧タンク１１４に加圧空気を供給する加圧空気供給ライン３０１と、加圧タンク１１４における加圧水の水位と圧力を検出する検出器３０３，３０４と、検出器３０３，３０４の検出値が予め設定された所定値よりも低下したときに加圧水または加圧空気の供給を開始する制御部１６２を設けている。従って、加圧タンク１１４における加圧水の水位や圧力が所定値よりも低下したときに、加圧水または加圧空気を供給するため、常時、加圧タンク１１４に所定量及び所定圧の加圧水を貯留することができる。
【００６６】
なお、この所定値とは、浴室４２，４３で使用する湯水の適正な吐出圧である。具体的には、浴槽スペース４４，４５（浴槽６１，６２）７シャワースペース４６，４７で使用する蛇口からの湯水の吐出圧が適正圧となる加圧タンク１１４の水位及び水頭圧である。
【００６７】
本実施例の船舶の展望浴室では、浴室４２，４３に浴槽６１，６２を設け、浴室４２，４３の第７甲板２７より下層の第６甲板２６上に浴槽水を循環して洗浄する洗浄装置１０１を設けている。従って、浴室４２，４３に浴槽６１，６３を設け、浴室４２，４３の下層に洗浄装置１０１を設けており、浴室４２，４３に対して洗浄装置１０１を別の階層に設けることで、第７甲板２７上の客室数の減少を抑制しながら、浴室４２，４３やこの浴室４２，４３に付随する設備を効率良く配置することができ、限られた船内スペースの有効利用を可能とすることができる。
【００６８】
本実施例の船舶の展望浴室では、洗浄装置１０１は、浴槽６１，６２から浴槽水を吸込管１２１により吸込んで洗浄し、洗浄済の浴槽水を吐出管１２２により浴槽６１，６２に吐出するものであり、給水管１１５を吐出管１２２に接続している。従って、給水管１１５を洗浄済の浴槽水を浴槽６１，６２に吐出する吐出管１２２に接続することで、浴槽６１，６２への湯水供給系が１系統となり、配管系の簡素化を可能とすることができる。
【００６９】
本実施例の船舶の展望浴室では、給水管１１５に、第１開閉弁１５９を有する第１給水管１１７と、第２開閉弁１６０を有する第２給水管１１８を接続し、第２給水管１１８に清水を加熱して温水とする加熱タンク１１９を設け、加熱タンク１１９を浴室４２，４３の第７甲板２７上に設けている。この場合、第１給水管１１７と第２給水管１１８を第７甲板２７に沿って配索し、先端部を下方に延出して洗浄装置１０１に接続している。従って、水と湯の２系統の給水管１１７，１１８を設けることで、浴槽６１，６２に供給する湯水の温度管理を適正に行うことができ、また、第１、第２給水管１１７，１１８及び加熱タンク１１９を第７甲板２７に設けることで、洗浄装置１０１への湯水の供給を自由落下により行うことが可能となり、浴槽６１，６２に対して湯水を適正に供給することができる。
【００７０】
本実施例の船舶の展望浴室では、浴室４２，４３及び洗浄装置１０１を船体１０の船幅方向における一方側に配置し、船幅方向にずらして配置している。従って、浴室４２，４３と洗浄装置１０１との間で浴槽水を循環する配管を短縮することができると共に、配管の配索を容易に行うことができる。この場合、第７甲板２７は、梁部材２０１，２０２，２０３の上方に床部材が敷設されて構成されており、配管は、梁部材２０１，２０２，２０３と床部材の間に収容される。
【００７１】
本実施例の船舶の展望浴室では、洗浄装置１０１として、浴槽水に薬液を添加して殺菌する薬液添加装置１２６と、浴槽水をろ過する過装置１２７と、浴槽水を加熱する加熱装置１２８とを設けている。従って、浴槽水は、薬液を添加して殺菌され、ろ過され、加熱されてから浴槽に戻されることとなり、浴槽水の適正な洗浄を可能とすることができる。
【００７２】
本実施例の船舶の展望浴室では、ろ過装置１２７のフィルタを逆洗する逆洗装置１２９を設けている。従って、逆洗装置１２９によりろ過装置１２７のフィルタを定期的に、または必要時に逆洗することで、ろ過装置１２７のろ過能力を常時高性能に維持することができる。
【００７３】
本実施例の船舶の展望浴室では、浴槽６１，６２を船体１０の船長方向に沿って複数設け、連通管１２３により連通している。従って、複数の浴槽６１，６２が連通管１２３により連通されることで、全ての浴槽６１，６２における浴槽水の水位が同等となり、各浴槽６１，６２に貯留される浴槽水の水量管理を容易に行うことができる。
【００７４】
本実施例の船舶の展望浴室では、浴槽６１，６２における浴槽水の水位を計測する水位計１２５と、浴槽水の水位が予め設定された下限水位に達すると給水装置１０２を作動する制御部１６２を設けている。従って、水位計１２５が計測した浴槽水の水位が下限水位に達すると、制御部１６２は、給水装置１０２を作動して湯水を浴槽６１，６２へ供給し、浴槽水の水位を適正水位に維持することとなり、浴槽６１，６２に貯留される浴槽水の水量管理を容易に行うことができる。
【００７５】
本実施例の船舶の展望浴室では、浴室４２，４３にシャワースペース４６，４７が設けられ、給水管１１５がシャワー配管に接続されている。従って、湯水を適正にシャワー４６，４７に供給することができる。
【００７６】
本実施例の船舶の展望浴室では、船体１０の船幅方向に沿う第１梁部材２０１，２０２を船長方向に所定間隔で複数配設し、複数の第１梁部材２０１，２０２を連結するように船長方向に沿う第２梁部材２０３を船幅方向に所定間隔で複数配設し、第１梁部材２０１，２０２と第２梁部材２０３により第７甲板２７を構成し、第７甲板２７における船幅方向の一端部に外方へ突出するように浴室４２，４３を形成している。従って、船幅方向に沿う複数の第１梁部材２０１，２０２と、船長方向に沿う複数の第２梁部材２０３を連結して構成された第７甲板２７上に外方へ突出する浴室４２，４３が形成されることで、浴室４２，４３の支持強度を十分に確保することができると共に、浴室４２，４３からの十分な眺望を確保することができる。
【００７７】
本実施例の船舶の展望浴室では、浴室４２，４３が設けられる第７甲板２７の下側の第６甲板上に舷側に沿う通路３６を設け、通路３６に上下の甲板２６，２７を連結する複数の支柱３７からなる手摺３８を設けている。従って、複数の支柱３７により上下の甲板２６，２７を連結することで、安全性の高い浴室４２，４３及び通路３６を確保することができ、また、この複数の支柱３７を通路の手摺３８として兼用することで、構成の簡素化及び低コスト化を可能とすることができる。
【００７８】
なお、上述した実施例では、第７甲板２７の左舷１４に展望浴室４１を配置したが、この位置に限定されるものではなく、第７甲板２７以外の甲板に設けてもよく、複数の甲板上に設けたり、また、右舷１５に設けたり、左舷１４と右舷１５の両方に設けたりしてもよい。
【符号の説明】
【００７９】
１０  船体
１１  船首
１２  船尾
１３  船底
１４  左舷
１５  右舷
２１  第１甲板（船底甲板）
２６  第６甲板（曝露甲板）
２７  第７甲板（航海船橋甲板）
３６  通路
３７  支柱
３８  手摺
４１  展望浴室
４２，４３  浴室
１０１  洗浄装置
１０２  給水装置
１１１  補機室
１１２  清水タンク（加圧水供給ライン）
１１３  加圧ポンプ（加圧水供給ライン）
１１４  加圧タンク
１１５  給水管（給水ライン）
１１６  配管（加圧水供給ライン）
１２１  吸込管
１２２  吐出管
１２３  連通管
１２５  水位計
１２６  薬液添加装置
１２７  ろ過装置
１２８  加熱装置
１２９  逆洗装置
１６２  制御部
２０１，２０２  第１梁部材
２０３  第２梁部材
３０１  加圧空気供給ライン
３０２  開閉弁
３０３  水位検出器
３０４  圧力検出器
【図１】
2015054549.tif 000003
【図２】
2015054549.tif 000004
【図３】
2015054549.tif 000005
【図４】
2015054549.tif 000006
【図５】
2015054549.tif 000007
【図６】
2015054549.tif 000008
【図７】
2015054549.tif 000009
【図８】
2015054549.tif 000010
【手続補正書】
【提出日】平成25年10月21日(2013.10.21)
【手続補正１】
【補正対象書類名】特許請求の範囲
【補正対象項目名】請求項１
【補正方法】変更
【補正の内容】
【請求項１】
船舶の上部構造の舷側に浴室が設けられ、
曝露甲板より下層の甲板上に清水を前記浴室に供給する給水装置が設けられ、
前記給水装置は、加圧水を貯留する加圧タンクと、前記加圧タンクに加圧水を供給する加圧水供給ラインと、前記加圧タンクに加圧空気を供給する加圧空気供給ラインと、前記加圧タンクの加圧水を前記浴室に供給可能な給水ラインと、前記加圧タンクにおける加圧水の水位と圧力の少なくともいずれか一方を検出する検出器と、前記検出器の検出値が予め設定された所定値よりも低下したときに加圧水または加圧空気の供給を開始する制御部とを有する、
ことを特徴とする船舶の展望浴室。
【手続補正２】
【補正対象書類名】明細書
【補正対象項目名】０００７
【補正方法】変更
【補正の内容】
【０００７】
上記の目的を達成するための本発明の船舶の展望浴室は、船舶の上部構造の舷側に浴室が設けられ、曝露甲板より下層の甲板上に清水を前記浴室に供給する給水装置が設けられ、前記給水装置は、加圧水を貯留する加圧タンクと、前記加圧タンクに加圧水を供給する加圧水供給ラインと、前記加圧タンクに加圧空気を供給する加圧空気供給ラインと、前記加圧タンクの加圧水を前記浴室に供給可能な給水ラインと、前記加圧タンクにおける加圧水の水位と圧力の少なくともいずれか一方を検出する検出器と、前記検出器の検出値が予め設定された所定値よりも低下したときに加圧水または加圧空気の供給を開始する制御部とを有する、ことを特徴とするものである。 
【手続補正３】
【補正対象書類名】明細書
【補正対象項目名】０００８
【補正方法】変更
【補正の内容】
【０００８】
従って、浴室の下層に給水装置を設けており、浴室に対して給水装置を別の階層に設けることで、客室数の減少を抑制しながら、浴室や浴室に付随する設備を効率良く配置することができ、限られた船内スペースの有効利用を可能とすることができる。また、加圧タンクの加圧水を給水ラインにより浴槽に供給することとなり、下層にある加圧水を上層の浴室に適正に供給することができる。このとき、加圧タンクを設けることで、加圧ポンプなどを常時駆動する必要がなく、運転コストを低減することができる。また、制御部は、加圧タンクにおける加圧水の水位や圧力が所定値よりも低下したときに加圧水または加圧空気を供給するため、常時、加圧タンクに所定量及び所定圧以上の加圧水を貯留することができる。なお、この所定値とは、浴室で使用する清水の吐出圧が適正圧となる加圧タンクの水位及び水頭圧である。